(57)【要約】【課題】リセットプロセスを適時に起動してプロトコルエラーを回復する方法及び装置を提供する。【解決手段】方法は、暗号化されたＰＤＵを受信する段階と、上記ＰＤＵを復号する段階と、上記ＰＤＵの少なくとも１つのフィールドに無効値が含まれた場合にリセットプロセスを起動する段階を含む。【選択図】図３
2008109672.tif 000002
【特許請求の範囲】
【請求項１】
無線通信システムの受信端においてプロトコルエラーを処理する方法であって、
暗号化されたＰＤＵ（プロトコルデータユニット）を受信する段階と、
上記ＰＤＵを復号する段階と、
上記ＰＤＵの少なくとも１つのフィールドに無効値が含まれた場合にリセットプロセスを起動する段階を含むことを特徴とするプロトコルエラーの処理方法。
【請求項２】
前記ＰＤＵはＲＬＣ（無線リンク制御）ＰＤＵであることを特徴とする請求項１記載のプロトコルエラーの処理方法。
【請求項３】
前記ＰＤＵはＡＭ（アクノレッジ）モードのデータＰＤＵであり、前記少なくとも１つのフィールドは長さ指示フィールドを含むことを特徴とする請求項１記載のプロトコルエラーの処理方法。
【請求項４】
無線通信システムにおいてプロトコルエラーを正確に処理するための通信装置であって、通信装置の機能を実現する制御回路と、
制御回路の中に設けられ、プログラムコードを実行して制御回路を制御するＣＰＵ（中央処理装置）と、
制御回路の中にＣＰＵと結合するように設けられ、プログラムコードを記録する記憶装置とを含み、該プログラムコードは、
暗号化されたＰＤＵを受信するコードと、
上記ＰＤＵを復号するコードと、
上記ＰＤＵの少なくとも１つのフィールドに無効値が含まれた場合にリセットプロセスを起動するコードを含むことを特徴とする通信装置。
【請求項５】
前記ＰＤＵはＲＬＣ  ＰＤＵであることを特徴とする請求項４記載の通信装置。
【請求項６】
前記ＰＤＵはＡＭモードのデータＰＤＵであり、前記少なくとも１つのフィールドは長さ指示フィールドを含むことを特徴とする請求項４記載の通信装置。
【請求項７】
無線通信システムの送信端においてプロトコルエラーを処理する方法であって、
暗号化された第一ＰＤＵを受信する段階と、
第一ＰＤＵを第二ＰＤＵに復号する段階と、
第二ＰＤＵにピギーバック制御ＰＤＵが含まれた場合に該ピギーバック制御ＰＤＵを取得する段階と、
上記ピギーバック制御ＰＤＵの少なくとも１つのフィールドに無効値が含まれた場合にリセットプロセスを起動する段階を含むことを特徴とするプロトコルエラーの処理方法。
【請求項８】
前記ピギーバック制御ＰＤＵの少なくとも１つのフィールドに無効値が含まれた場合にリセットプロセスを起動する段階は、ピギーバック制御ＰＤＵのタイプ指示フィールドで該ピギーバック制御ＰＤＵが第二ＰＤＵで運べないことを示した場合にリセットプロセスを起動することを特徴とする請求項７記載のプロトコルエラーの処理方法。
【請求項９】
前記タイプ指示フィールドはピギーバック制御ＰＤＵがリセットＰＤＵかリセット肯定応答ＰＤＵであるかを示すものであることを特徴とする請求項８記載のプロトコルエラーの処理方法。
【請求項１０】
無線通信システムにおいてプロトコルエラーを正確に処理するための通信装置であって、通信装置の機能を実現する制御回路と、
制御回路の中に設けられ、プログラムコードを実行して制御回路を制御するＣＰＵと、
制御回路の中にＣＰＵと結合するように設けられ、プログラムコードを記録する記憶装置とを含み、該プログラムコードは、
暗号化された第一ＰＤＵを受信するコードと、
第一ＰＤＵを第二ＰＤＵに復号するコードと、
第二ＰＤＵにピギーバック制御ＰＤＵが含まれた場合に該ピギーバック制御ＰＤＵを取得するコードと、
上記ピギーバック制御ＰＤＵの少なくとも１つのフィールドに無効値が含まれた場合にリセットプロセスを起動するコードを含むことを特徴とする通信装置。
【請求項１１】
前記ピギーバック制御ＰＤＵの少なくとも１つのフィールドに無効値が含まれた場合にリセットプロセスを起動するコードは、ピギーバック制御ＰＤＵのタイプ指示フィールドで該ピギーバック制御ＰＤＵが第二ＰＤＵで運べないことを示した場合にリセットプロセスを起動することを特徴とする請求項１０記載の通信装置。
【請求項１２】
前記タイプ指示フィールドはピギーバック制御ＰＤＵがリセットＰＤＵかリセット肯定応答ＰＤＵであるかを示すものであることを特徴とする請求項１１記載の通信装置。
【発明の詳細な説明】
【技術分野】
【０００１】
本発明は無線通信システムにおいてプロトコルエラーを処理する方法及び装置に関し、特に不必要なリセットプロセスを回避してプロトコルエラーを正確に処理し、状況によって受信端でリセットプロセスを適時に起動してプロトコルエラーを回復する方法及び装置に関する。
【背景技術】
【０００２】
第三世代移動通信技術はＷＣＤＭＡ（広帯域時分割多元接続）方式で高スペクトル利用効率、高カバー率、優れた通話品質と高速伝送を実現するとともに、ＱｏＳ（サービス品質）の確保、柔軟性のある双方向通信の実現、通話中断率の低減に大きく寄与する。
【０００３】
ユーザーデータと信号情報の傍受を防止するため、従来の第三世代移動通信システムはセキュリティーモード制御プロセスで、ユーザー端とネットワーク端との間の専用チャネルの暗号化を起動するか、暗号化設定パラメータを変更し、信号の傍受を防止する。セキュリティーモード制御プロセスは暗号化アルゴリズムを用いて暗号化保護手段に必要な鍵ストリームブロックを提供する。送信端は鍵ストリームブロックと平文ブロックを暗号化して暗号文ブロックにし、受信端は送信端と同じ鍵ストリームブロックで暗号文を解読して平文ブロックにすることができる。暗号化アルゴリズムには数個のパラメータが用いられ、そのうち暗号化シーケンス番号は２０ビットのＲＬＣ  ＨＦＮ（無線リンク制御ハイパーフレーム番号）と１２ビットのＲＬＣ  ＳＮ（無線リンク制御シーケンス番号）からなる。
【０００４】
ＲＬＣ  ＳＮは送信パケットのヘッダ部にはめ込まれるパケットＳＮ（シーケンス番号）であり、ＲＬＣ  ＨＦＮは送信端と受信端に保存される。ＨＦＮはパケットＳＮの繰り上がり数に相当する。パケットＳＮのビットで表示可能な値を超えると、パケットＳＮをリセットし、ＨＦＮに１を加算する。例えば、パケットＳＮが７ビットの場合、即ち表示可能な範囲が０−１２７の場合、パケットＳＮが１２７を超えるとＨＦＮに１を加算され、ＨＦＮは０に戻される。したがって、各パケットのＳＮを利用して送信端と受信端でＨＦＮを適時に累算し、両方のＨＦＮを同期することで暗号化／復号化を円滑に進めることが可能である。
【０００５】
しかし、送信端と受信端のＨＦＮが同期できず、暗号化／復号化に支障が生じることもありうる。この場合、ＲＬＣ（無線リンク制御）エンティティーでリセットプロセスを起動し、ＨＦＮを同期させることが可能である。３ＧＰＰによるＲＬＣプロトコル規格によれば、送信端のＲＬＣエンティティーは下記状況が検出された場合にリセットプロセスを起動する。これを詳述するため、以下に関連変数とパラメータの意義、及びＳＤＵ（サービスデータユニット）削除の動作モードについて先に説明しておく。
【０００６】
変数ＶＴ（ＤＡＴ）：ＡＭ（アクノレッジ）モードでＰＤＵ（プロトコルデータユニット）を送信スケジュールに入れる回数を示す。ＰＤＵごと１つの変数ＶＴ（ＤＡＴ）に対応し、変数ＶＴ（ＤＡＴ）はＰＤＵを送信スケジュールに入れる回数を累計した値である。
【０００７】
変数ＶＴ（ＭＲＷ）：ＭＲＷ（受信ウィンドウ移動）指令の送信回数を示す。
【０００８】
変数ＶＴ（ＲＳＴ）：リセット状態変数であって、リセットプロセス終了前にリセットＰＤＵを送信スケジュールに入れる回数を示す。
【０００９】
パラメータＭａｘＤＡＴ：変数ＶＴ（ＤＡＴ）の上限値を示す。ＡＭモードのＰＤＵを送信スケジュールに入れる回数は、パラメーターＭａｘＤＡＴより小さくしなければならない。変数ＶＴ（ＤＡＴ）がパラメーターＭａｘＤＡＴと一致した場合、上位層でＲＬＣレイヤーのリセットするか、またはＳＤＵの削除を行う。
【００１０】
パラメータＭａｘＭＲＷ：変数ＶＴ（ＭＲＷ）の上限値を示す。ＭＲＷ指令の送信可能回数はパラメータＭａｘＭＲＷより小さいか等しくしなければならない。
【００１１】
パラメータＭａｘＲＳＴ：変数ＶＴ（ＲＳＴ）の上限値を示す。リセットＰＤＵの送信可能回数はパラメータＭａｘＲＳＴより小さくしなければならない。変数ＶＴ（ＲＳＴ）がパラメータＭａｘＲＳＴと一致した場合は返答不能のエラーを上位層に通報すべきである。
【００１２】
ＳＤＵ削除は４種類のモードで行われ、そのうちパラメータＭａｘＤＡＴと関係があるのは下記２種類がある。
【００１３】
１．パラメータＭａｘＤＡＴ送信回数達成後にＳＤＵ削除：このモードでは、ＰＤＵを送信スケジュールに入れる回数（ＶＴ（ＤＡＴ））がパラメータＭａｘＤＡＴに達すると、送信端で同ＰＤＵで運ばれる（１個または複数個）ＳＤＵセグメントに対応するＳＤＵ、またはＳＤＵ（１個または複数個）の終了位置を示す長さ指示フィールドに対応するＳＤＵを削除するうえ、その旨を受信端に明示的に通報する。
【００１４】
２．パラメータＭａｘＤＡＴ送信回数達成後にリセット：このモードでは、ＰＤＵを送信スケジュールに入れる回数（ＶＴ（ＤＡＴ））がパラメータＭａｘＤＡＴに達すると、送信端でＲＬＣ層のリセットを起動する。
【００１５】
リセットプロセスはプロトコルエラーの検出時に起動される。プロトコルエラーの有無判断は、送信端のＲＬＣエンティティーに下記状況が検出されたかどうかに基づく。
【００１６】
１．「パラメータＭａｘＤＡＴ送信回数達成後にリセット」モードが起動され、かつ変数ＶＴ（ＤＡＴ）がパラメータＭａｘＤＡＴと一致した場合に、ＲＬＣ層のリセットは起動される。
【００１７】
２．変数ＶＴ（ＭＲＷ）がパラメータＭａｘＭＲＷと一致した場合。
【００１８】
３．受信端から送信端に返送する状態ＰＤＵかピギーバック状態ＰＤＵに誤ったシーケンス番号が含まれた場合。例えば肯定応答されたＳＮが後に否定応答されるか、または肯定応答されたＳＮが実際に送信端から発送されていない場合。
【００１９】
リセットプロセスの起動後、送信端でデータＰＤＵや制御ＰＤＵの送信を中止し、受信端から返送されたデータＰＤＵ、制御ＰＤＵまたはピギーバック制御ＰＤＵを無視するうえ、変数ＶＴ（ＲＳＴ）に１を加算する。変数ＶＴ（ＲＳＴ）がパラメータＭａｘＲＳＴと一致すれば、送信端はＲＬＣリセットプロセスを中止し、動作中のリセットタイマー（Ｔｉｍｅｒ＿ＲＳＴ）を停止させ、更に返答不能のエラーを上位層に通報する。それに反して、変数ＶＴ（ＲＳＴ）がパラメータＭａｘＲＳＴより小さい場合、送信端でリセットＰＤＵを下位層に送信し、リセットタイマーを起動する。
【００２０】
以上のとおり、送信端は以上の状況のいずれかが検出された場合にリセットプロセスを行ってプロトコルエラーを回復する。しかし、このような技術には以下の欠点を有する。
【００２１】
まず、送信端で上記状況のいずれかが検出された場合にのみリセットプロセスを起動する方法は、プロトコルエアーが発生したが上記状況が発生していない場合ではエラーを回復できない。例えば、「パラメータＭａｘＤＡＴ送信回数達成後にＳＤＵ削除」モード（このモードは上記状況に対応していない）の起動後、ＨＦＮが同期できず、受信端でＰＤＵを正確に復号できない場合、受信端は同ＰＤＵの再送を送信端に求める。ＰＤＵを送信スケジュールに入れる回数（ＶＴ（ＤＡＴ））がパラメータＭａｘＤＡＴに達すると、送信端はＳＤＵ削除を起動する。ＳＤＵを削除するとき、送信端はＭＲＷ指令を含んだ制御ＰＤＵを出力する。この制御ＰＤＵは暗号化されていないため、ＨＦＮが同期できるかどうかにかかわらず、受信端で送信端からの制御ＰＤＵを正常に受信できる。その後、ＳＤＵを削除してから送信端は次のＰＤＵを出力する。しかし、ＨＦＮの同期はまだ回復していない（リセットが行われていない）ため、受信端で信号を復号できない。言い換えれば、「パラメータＭａｘＤＡＴ送信回数達成後にＳＤＵ削除」モードの起動後、ＳＤＵ削除はいかなる場合でも実行できるため、リセットを行えず、ＨＦＮ非同期のエラーは回復できない。
【００２２】
また、復号後のピギーバック制御ＰＤＵに無効値が含まれた場合、従来は同ピギーバック制御ＰＤＵを削除するのみで、その情報（例えば、ＨＦＮの同期状態はピギーバック制御ＰＤＵで判断できる）を利用しない。
【００２３】
まとめていえば、従来の技術はＨＦＮの非同期によるエラーを処理できないので、送信効率が低下し、システム資源を節減できないという欠点がある。
【発明の開示】
【発明が解決しようとする課題】
【００２４】
本発明は前述の問題を解決するため、無線通信システムにおいてプロトコルエラーを処理する方法及び装置を提供することを課題とする。
【課題を解決するための手段】
【００２５】
本発明は無線通信システムの受信端においてプロトコルエラーを処理する方法を提供する。該方法は、暗号化されたＰＤＵ（プロトコルデータユニット）を受信する段階と、上記ＰＤＵを復号する段階と、上記ＰＤＵの少なくとも１つのフィールドに無効値が含まれた場合にリセットプロセスを起動する段階を含む。
【００２６】
本発明は更に、無線通信システムにおいてプロトコルエラーを正確に処理するための通信装置を提供する。該通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記録する記憶装置とを含む。該プログラムコードは、暗号化されたＰＤＵを受信するコードと、上記ＰＤＵを復号するコードと、上記ＰＤＵの少なくとも１つのフィールドに無効値が含まれた場合にリセットプロセスを起動するコードを含む。
【００２７】
本発明は更に、無線通信システムの送信端においてプロトコルエラーを処理する方法を提供する。該方法は、暗号化された第一ＰＤＵを受信する段階と、第一ＰＤＵを第二ＰＤＵに復号する段階と、第二ＰＤＵにピギーバック制御ＰＤＵが含まれた場合に該ピギーバック制御ＰＤＵを取得する段階と、上記ピギーバック制御ＰＤＵの少なくとも１つのフィールドに無効値が含まれた場合にリセットプロセスを起動する段階を含む。
【００２８】
本発明は更に、無線通信システムにおいてプロトコルエラーを正確に処理するための通信装置を提供する。該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。該プログラムコードは、暗号化された第一ＰＤＵを受信するコードと、第一ＰＤＵを第二ＰＤＵに復号するコードと、第二ＰＤＵにピギーバック制御ＰＤＵが含まれた場合に該ピギーバック制御ＰＤＵを取得するコードと、上記ピギーバック制御ＰＤＵの少なくとも１つのフィールドに無効値が含まれた場合にリセットプロセスを起動するコードを含む。
【発明の効果】
【００２９】
本発明はプロトコルエラーを正確に処理し、状況によって受信端でリセットプロセスを適時に起動してプロトコルエラーを回復することができる。
【発明を実施するための最良の形態】
【００３０】
かかる方法及び装置の特徴を詳述するために、具体的な実施例を挙げ、図を参照にして以下に説明する。
【００３１】
図１を参照する。図１は無線通信装置１００のブロック図である。説明を簡素化するため、図１では無線通信装置１００の入力装置１０２、出力装置１０４、制御回路１０６、ＣＰＵ（中央処理装置）１０８、記憶装置１１０、プログラムコード１１２及びトランシーバー１１４のみ描かれている。無線通信装置１００において、制御回路１０６はＣＰＵ１０８を用いて記憶装置１１０に記録されたプログラムコード１１２を実行し、無線通信装置１００の動作を制御する装置であり、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実現するものである。
【００３２】
図２を参照する。図２は図１に示すプログラムコード１１２を表す説明図である。プログラムコード１１２はアプリケーションレイヤー２００と、第三層インターフェイス２０２と、第二層インターフェイス２０６を備え、第一層インターフェイス２１８と接続されている。信号を発する場合、第二層インターフェイス２０６（すなわちＲＬＣレイヤー）で第三層インターフェイス２０２によるデータに基づいて、複数のＳＤＵ２０８を生成してバッファー２１２に保存する。その後、第二層インターフェイス２０６でバッファー２１２に保存されたＳＤＵ２０８に基づいて、複数のＰＤＵ２１４を生成して第一層インターフェイス２１８を介して送信先に出力する。それに反して、無線信号を受信する場合、第一層インターフェイス２１８で信号を受信し、それをＰＤＵ２１４として第二層インターフェイス２０６に送信する。その後、第二層インターフェイス２０６でＰＤＵ２１４をＳＤＵ２０８に還元し、バッファー２１２に保存する。最後に、第二層インターフェイス２０６でバッファー２１２に保存されたＳＤＵ２０８を第三層インターフェイス２０２に送信する。
【００３３】
前述によれば、送信端と受信端のＨＦＮが同期しないと、暗号化・復号化は円滑に進められない。この場合は、第二層インターフェイス２０６でリセットプロセスを起動し、ＨＦＮ非同期のエアーを回復する。それに鑑みて、本発明はプロトコルエラー処理プログラムコード２２０を提供し、リセットプロセスを適時に起動してＨＦＮ非同期のエアーを回復する。下記送信端と受信端の定義は当業者に周知のとおり、ユーザー端でアップリンク伝送を実現する場合、ユーザー端は送信端であってネットワーク端は受信端であり、ネットワーク端でダウンリンク伝送を実現する場合、ユーザー端は受信端であってネットワーク端は送信端である。
【実施例１】
【００３４】
図３を参照する。図３は本発明の実施例１による方法３０のフローチャートである。下記方法３０は無線通信システムの受信端におけるプロトコルエラー処理に用いられ、プロトコルエラー処理プログラムコード２２０としてコンパイルすることができる。
ステップ３００：開始。
【００３５】
ステップ３０２：暗号化されたＰＤＵを受信する。
【００３６】
ステップ３０４：上記ＰＤＵを復号する。
【００３７】
ステップ３０６：上記ＰＤＵの少なくとも１つのフィールドに無効値が含まれた場合にリセットプロセスを起動する。
【００３８】
ステップ３０８：終了。
以上のとおり、受信端で暗号化されたＰＤＵを受信して復号した後、同ＰＤＵの少なくとも１つのフィールドに無効値が含まれた場合、リセットプロセスは起動される。言い換えれば、受信端で受信したＰＤＵのフィールドに無効値が含まれると検出すれば、受信端でリセットプロセスを起動する。即ち、受信端で受信したＰＤＵを検査し、その内容に基づいてリセットプロセスの起動を決定する。
【００３９】
従来の技術では、受信端は「パラメータＭａｘＤＡＴ送信回数達成後にリセット」モードが起動され、かつ変数ＶＴ（ＤＡＴ）がパラメータＭａｘＤＡＴと一致した場合、変数ＶＴ（ＭＲＷ）がパラメータＭａｘＭＲＷと一致した場合、または受信端から送信端に返送する状態ＰＤＵかピギーバック状態ＰＤＵに誤ったシーケンス番号が含まれた場合にのみリセットを行う。言い換えれば、システムにプロトコルエアーが発生したが、上記状況が発生していない場合では、同プロトコルエラーを回復できない。それと比べて、本発明は受信端で受信したＰＤＵのフィールドに無効値が含まれると検出した場合に受信端でリセットプロセスを起動するため、従来の問題を回避できる。
【００４０】
例えば、「パラメータＭａｘＤＡＴ送信回数達成後にＳＤＵ削除」モード（このモードは上記状況に対応していない）の起動後、ＨＦＮが同期できず、受信端でＰＤＵを正確に復号できない場合、本発明は受信端でリセットプロセスを起動し、ＨＦＮの同期を回復する。
【００４１】
注意すべきは、本発明は受信端でＰＤＵの少なくとも１つのフィールドに無効値が含まれることが検出された場合にリセットプロセスを起動する。該ＰＤＵは望ましくは暗号化されたＲＬＣ  ＰＤＵ、例えばＡＭモードのデータＰＤＵであり、該フィールドは特定フィールドに限らず、例えば長さ指示フィールドが可能である。換言すれば、受信端でＡＭモードのデータＰＤＵを受信した場合、その長さ指示フィールドに無効値が含まれれば、本発明は受信端でリセットプロセスを起動する。
【００４２】
したがって、本発明はプロトコルエラー（例えばＨＦＮ非同期）の検出時に受信端でリセットプロセスを適時に起動し、該エラーを回復することができる。
【実施例２】
【００４３】
図４を参照する。図４は本発明の実施例２による方法４０のフローチャートである。下記方法３０は無線通信システムの送信端におけるプロトコルエラー処理に用いられ、プロトコルエラー処理プログラムコード２２０としてコンパイルすることができる。
ステップ４００：開始。
【００４４】
ステップ４０２：暗号化された第一ＰＤＵを受信する。
【００４５】
ステップ４０４：第一ＰＤＵを第二ＰＤＵに復号する。
【００４６】
ステップ４０６：第二ＰＤＵにピギーバック制御ＰＤＵが含まれる。
【００４７】
ステップ４０８：上記ピギーバック制御ＰＤＵを取得する。
【００４８】
ステップ４１０：上記ピギーバック制御ＰＤＵの少なくとも１つのフィールドに無効値が含まれた場合にリセットプロセスを起動する。
【００４９】
ステップ４１２：終了。
以上のとおり、送信端で受信端から返送されたピギーバック制御ＰＤＵを受信し、該ピギーバック制御ＰＤＵを含んだＰＤＵは暗号化されたものである場合、該ピギーバック制御ＰＤＵの少なくとも１つのフィールドに無効値が含まれれば、リセットプロセスを起動する。言い換えれば、受信したピギーバック制御ＰＤＵのフィールドに無効値が含まれると検出された場合に、受信端でリセットプロセスを起動する。
【００５０】
従来の技術では、受信端は前記３種類の状況が発生した場合にのみリセットプロセスを起動する。ピギーバック制御ＰＤＵに無効値が含まれた場合、従来の技術では同制御ＰＤＵを削除するのみで、それに運ばれる情報を利用しない。それと比べて、本発明では受信したピギーバック制御ＰＤＵのフィールドに無効値が含まれると検出すれば、送信端はリセットプロセスを起動する。言い換えれば、本発明の送信端は前記状況に限らず、ピギーバック制御ＰＤＵの情報に基づいてリセットプロセスを適時に起動することができる。
【００５１】
注意すべきは、本発明は送信端で受信したピギーバック制御ＰＤＵの少なくとも１つのフィールドに無効値が含まれると検出された場合にリセットプロセスを起動する。例えば、ピギーバック制御ＰＤＵのタイプ指示フィールドで同ピギーバック制御ＰＤＵがＰＤＵで運べないことを示すか、同ピギーバック制御ＰＤＵがリセットＰＤＵかリセット肯定応答ＰＤＵであることを示す場合に、リセットプロセスを起動する。
【００５２】
したがって、本発明は受信端から返送されたピギーバック制御ＰＤＵの少なくとも１つのフィールドに無効値が含まれた場合に、送信端でリセットプロセスを起動してプロトコルエラーを適時に回復する。
【００５３】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００５４】
本発明は従来の動作条件を変更したのみであり、実施可能である。
【図面の簡単な説明】
【００５５】
【図１】本発明による無線通信装置のブロック図である。
【図２】図１に示すプログラムコードを表す説明図である。
【図３】本発明の実施例１による方法のフローチャートである。
【図４】本発明の実施例２による方法のフローチャートである。
【符号の説明】
【００５６】
１００    無線通信装置
１０２    入力装置
１０４    出力装置
１０６    制御回路
１０８    ＣＰＵ
１１０    保存装置
１１２    プログラムコード
１１４    トランシーバー
２００    アプリケーションレイヤー
２０２    第三層インターフェイス
２０６    第二層インターフェイス
２０８    ＳＤＵ
２１２    バッファー
２１４    ＰＤＵ
２１８    第一層インターフェイス
２２０    プロトコルエラー処理プログラムコード
【図１】
2008109672.tif 000003
【図２】
2008109672.tif 000004
【図３】
2008109672.tif 000005
【図４】
2008109672.tif 000006